(57)【要約】【課題】沈降速度が速く、かつヘッドの損傷が生じにくい疑似餌の提供。【解決手段】疑似餌のヘッド４は、主部１４、重錘１６及びワイヤー１８を有している。重錘１６の密度は、主部１４の密度よりも大きい。主部１４の典型的な材質は、鉛又は鉛合金である。重錘１６の典型的な材質は、タングステン又はタングステン合金である。重錘１６は、埋設部３０と露出部３２とを有している。埋設部３０は、主部１４にくるまれている。露出部３２は、主部１４にくるまれていない。ワイヤー１８は、主部１４及び重錘１６を貫通している。主部１４の表面は、着色されている。露出部３２の表面は、着色されていない。【選択図】図４
2017123805.tif 000002
【特許請求の範囲】
【請求項１】
主部と、この主部の密度よりも大きな密度を有する重錘とを備えており、
上記重錘が、上記主部にくるまれた埋設部と、上記主部にくるまれていない露出部とを有する疑似餌ヘッド。
【請求項２】
上記主部の密度Ｄ１に対する、上記重錘の密度Ｄ２の比（Ｄ２／Ｄ１）が、１．４以上である請求項１に記載の疑似餌ヘッド。
【請求項３】
上記主部の密度が１０．０ｇ／ｃｍ３以上であり、上記重錘の密度が１８．０ｇ／ｃｍ３以上である請求項１又は２に記載の疑似餌ヘッド。
【請求項４】
上記主部の材質が鉛又は鉛合金であり、上記重錘の材質がタングステン又はタングステン合金である請求項１から３のいずれかに記載の疑似餌ヘッド。
【請求項５】
ワイヤーをさらに備えており、このワイヤーが上記主部及び上記重錘を貫通している請求項１から４のいずれかに記載の疑似餌ヘッド。
【請求項６】
上記主部の表面が着色されており、上記露出部の表面が着色されていない請求項１から５のいずれかに記載の疑似餌ヘッド。
【請求項７】
上記ヘッドの重心を通過しかつ鉛直方向及び前後方向に延びる断面において、上記重錘の面積重心が上記ヘッドの面積重心よりも前方かつ下方に位置する請求項１から６のいずれかに記載の疑似餌ヘッド。
【請求項８】
ヘッドと、このヘッドに取り付けられる揺動体とを備えており、
上記ヘッドが、主部と、この主部の密度よりも大きな密度を有する重錘とを有しており、
上記重錘が、上記主部にくるまれた埋設部と、上記主部にくるまれていない露出部とを有する疑似餌。
【請求項９】
重錘にワイヤーを、このワイヤーの端が重錘から露出するように、通す工程、
上記重錘及びワイヤーを型にインサートする工程、
上記型に溶融金属を注入し、上記ワイヤーの端がこの溶融金属から露出するように、上記型のキャビティを上記溶融金属で満たす工程、
上記溶融金属を冷却して凝固させ、主部を形成する工程、
及び
上記ワイヤーのうち、上記主部から露出した部分を、削除する工程
を含む、疑似餌ヘッドの製造方法。
【発明の詳細な説明】
【技術分野】
【０００１】
本発明は、釣りに用いられる疑似餌に関する。詳細には、本発明は、高比重なヘッドを有する疑似餌に関する。
【背景技術】
【０００２】
カブラと称される疑似餌を用いて、鯛釣りが行われている。この疑似餌は、金属製のヘッド、ゴム製のネクタイ及びスカート並びにフックを備えている。ヘッドは、塗装層によって着色されている。この疑似餌は、釣り糸が結ばれた状態で、海底に沈められる。釣り糸が引かれて疑似餌が海水中を上昇すると、ヘッドのフラッシングが鯛にアピールする。さらに、水圧を受けてネクタイ及びスカートが揺動する。この揺動により、鯛は疑似餌を生きた餌と勘違いし、この疑似餌に食いつく。フックが鯛に刺さって、鯛が釣り上げられる。この疑似餌は、「タイラバ」とも称されている。鯛釣りに適した疑似餌が、特開２００８−２１２１４６公報に記載されている。
【先行技術文献】
【特許文献】
【０００３】
【特許文献１】特開２００８−２１２１４６公報
【発明の概要】
【発明が解決しようとする課題】
【０００４】
鯛がいるレンジは、タナと称される。釣り人が疑似餌を海に投入すると、この疑似餌は水中を沈降していく。疑似餌がタナに到着した後に釣り糸が引かれることで、鯛が疑似餌に食いつく。海に投入後、タナにまで到着する時間が短い疑似餌が、釣果の点で有利である。釣り人は、沈降速度の速い疑似餌を望んでいる。
【０００５】
沈降した疑似餌が、海底の岩等に衝突することがある。この衝突により、ヘッドが損傷する。損傷により、ヘッドの塗装層の一部が剥がれることがある。衝突が繰り返されると、ヘッドの色が徐々に変化する。色の変化は、釣果を損ねる。
【０００６】
本発明の目的は、沈降速度が速く、かつヘッドの損傷が生じにくい疑似餌の提供にある。
【課題を解決するための手段】
【０００７】
本発明に係る疑似餌ヘッドは、主部と、この主部の密度よりも大きな密度を有する重錘とを備える。この重錘は、主部にくるまれた埋設部と、主部にくるまれていない露出部とを有する。
【０００８】
好ましくは、主部の密度Ｄ１に対する、重錘の密度Ｄ２の比（Ｄ２／Ｄ１）は、１．４以上である。
【０００９】
好ましくは、主部の密度は１０．０ｇ／ｃｍ３以上であり、重錘の密度は１８．０ｇ／ｃｍ３以上である。
【００１０】
好ましくは、主部の材質は鉛又は鉛合金であり、重錘の材質はタングステン又はタングステン合金である。
【００１１】
好ましくは、ヘッドは、ワイヤーをさらに備える。このワイヤーは、主部及び重錘を貫通している。
【００１２】
好ましくは、主部の表面は着色されており、露出部の表面は着色されていない。
【００１３】
好ましくは、ヘッドの重心を通過しかつ鉛直方向及び前後方向に延びる断面において、重錘の面積重心は、ヘッドの面積重心よりも前方かつ下方に位置する。
【００１４】
本発明に係る疑似餌は、ヘッドと、このヘッドに取り付けられる揺動体とを備える。このヘッドは、主部と、この主部の密度よりも大きな密度を有する重錘とを有する。重錘は、主部にくるまれた埋設部と、主部にくるまれていない露出部とを有する。
【００１５】
本発明に係る疑似餌ヘッドの製造方法は、
重錘にワイヤーを、このワイヤーの端が重錘から露出するように、通す工程、
上記重錘及びワイヤーを型にインサートする工程、
上記型に溶融金属を注入し、上記ワイヤーの端がこの溶融金属から露出するように、上記型のキャビティを上記溶融金属で満たす工程、
上記溶融金属を冷却して凝固させ、主部を形成する工程、
及び
上記ワイヤーのうち、上記主部から露出した部分を、削除する工程
を含む。
【発明の効果】
【００１６】
本発明に係る疑似餌ヘッドは、大きな密度を有する重錘を含むので、ヘッド全体としても大きな密度を有する。このヘッドを有する疑似餌の沈降速度は、速い。重錘が露出部を有するので、このヘッドでは、主部が海底と衝突する頻度が少ない。このヘッドでは、主部の損傷が生じにくい。この疑似餌により、大きな釣果が得られうる。
【図面の簡単な説明】
【００１７】
【図１】図１は、本発明の一実施形態に係る疑似餌が釣り糸と共に示された説明図である。
【図２】図２は、図１の疑似餌のヘッドが示された拡大正面図である。
【図３】図３は、図２のヘッドが示された左側面図である。
【図４】図４は、図３のIV−IV線に沿った断面図である。
【図５】図５は、図２のヘッドの製造の様子が示された説明図である。
【図６】図６は、図２のヘッドの製造の様子が示された説明図である。
【図７】図７は、図１の疑似餌の使用の様子が示された正面図である。
【発明を実施するための形態】
【００１８】
以下、適宜図面が参照されつつ、好ましい実施形態に基づいて本発明が詳細に説明される。
【００１９】
図１に示された疑似餌２は、カブラと称される。この疑似餌２は、ヘッド４、プラグ６、フックユニット８、ネクタイ１０及びスカート１２を有している。ネクタイ１０は、揺動体である。スカート１２も、揺動体である。疑似餌２が、ネクタイ１０及びスカート１２以外の揺動体を有してもよい。
【００２０】
図２はヘッド４が示された拡大正面図であり、図３はヘッド４が示された左側面図であり、図４は図３のIV−IV線に沿った断面図である。図２において、左側はヘッド４の前側であり、右側はヘッド４の後ろ側である。
【００２１】
このヘッド４は、主部１４、重錘１６及びワイヤー１８を有している。重錘１６の材質は、主部１４の材質とは異なる。重錘１６の密度は、主部１４の密度よりも大きい。主部１４の典型的な材質は、鉛又は鉛合金である。重錘１６の典型的な材質は、タングステン又はタングステン合金である。
【００２２】
主部１４は、孔２０を有している。孔２０は、主部１４の上部に位置しており、前後方向に延びている。孔２０は、主部１４を貫通している。この孔２０に、パイプ２２がはめ込まれている。パイプ２２は、接着剤により、孔２０に接合されている。パイプ２２は、ストレート部２４と、このストレート部２４よりも後ろ側に位置するソケット２６とを有している。ソケット２６の内径は、後に向かって徐々に大きくなる。
【００２３】
主部１４の表面の全体は、塗装層に覆われている。この塗装層により、ヘッド４に着色がなされている。着色は、鯛にアピールする。主部１４の表面が、部分的に塗装層に覆われてもよい。
【００２４】
パイプ２２には、釣り糸２８（図１参照）が通される。このパイプ２２の内径は、釣り糸２８の外径よりも十分に大きい。従ってヘッド４は、この釣り糸２８に対して容易に相対移動しうる。
【００２５】
重錘１６は、ヘッド４の中で前寄りかつ下寄りに位置している。重錘１６は、埋設部３０と露出部３２とを有している。埋設部３０は主部１４にくるまれている。露出部３２は、主部１４にくるまれていない。露出部３２は、埋設部３０の前側かつ下側に位置している。露出部３２は、塗装層を有していない。
【００２６】
ワイヤー１８は、主部１４及び重錘１６を貫通している。ワイヤー１８により、主部１４に対する重錘１６の移動が阻止されている。ワイヤー１８の材質として、スチール及びステンレススチールが挙げられる。
【００２７】
図示されていないが、プラグ６は、釣り糸２８と連結されている。プラグ６は、硬質の合成樹脂からなる。図１に示されるように、プラグ６の前寄り部分は、ソケット２６（図４参照）に入り込んでいる。プラグ６は、ソケット２６に接合されていない。従って釣り人は、プラグ６をソケット２６から抜き、このプラグ６を後方へと移動させることができる。
【００２８】
フックユニット８は、鉤素３４と２つのフック３６とからなる。鉤素３４の一端に一方のフック３６が締結されており、鉤素３４の他端に他方のフック３６が締結されている。鉤素３４の典型的な材質は、アラミド繊維（登録商標「ケブラー」）である。フック３６は、金属からなる。フックユニット８は、図示されないリング等を介して釣り糸２８と連結されている。
【００２９】
ネクタイ１０は、帯状である。このネクタイ１０の中央近傍は、プラグ６に掛けられている。ネクタイ１０は、軟質材料からなる。水圧を受けたとき、ネクタイ１０は揺れ動いて、疑似餌２の存在を鯛にアピールする。典型的には、ネクタイ１０は、ゴム組成物からなる。ネクタイ１０が、軟質合成樹脂から形成されてもよい。ネクタイ１０が設けられなくてもよい。
【００３０】
スカート１２は、多数の糸３８からなる。この糸３８は、長尺である。この糸３８の中央近傍は、プラグ６に掛けられている。糸３８は、軟質材料からなる。水圧を受けたとき、糸３８は揺れ動いて、疑似餌２の存在を鯛にアピールする。典型的には、糸３８は、ゴム組成物からなる。糸３８が、軟質合成樹脂から形成されてもよい。糸３８が設けられなくてもよい。
【００３１】
以下、ヘッド４の製造方法が説明される。まず、重錘１６が成形される。重錘１６の成形には、焼結法、鋳造法等が採用されうる。次に、図５に示されるように、重錘１６にワイヤー１８が通される。ワイヤー１８は、接着剤により重錘１６に固定される。ワイヤー１８の両端４０、４２は、重錘１６から露出している。
【００３２】
この重錘１６とワイヤー１８とが、型にインサートされる。この型に、溶融金属が注入される。典型的な金属は、前述の鉛又は鉛合金である。この金属の融点は、低い。溶融金属の温度は、重錘１６の融点よりも低く、ワイヤー１８の融点よりも低い。型のキャビティは、溶融金属で満たされる。溶融金属は、埋設部３０を囲む。溶融金属は、ワイヤー１８の一部を覆う。この金属が冷却されて凝固し、主部１４が形成される。埋設部３０は、主部１４に鋳ぐるまれる。ワイヤー１８の一部も、主部１４に鋳ぐるまれる。図６に示されるように、ワイヤー１８の両端４０、４２は、主部１４から露出している。この主部１４に、ペイントが塗布されて乾燥させられる。最後に、ワイヤー１８の端の近傍が切り落とされて、ヘッド４が完成する。
【００３３】
この疑似餌２が海に投入されると、疑似餌２の密度が海水の密度よりも大きいので、沈降する。前述の通り、重錘１６は、ヘッド４の中で前寄りかつ下寄りに位置している。従ってヘッド４の重心は、図４に示された断面における面積重心よりも、前寄りかつ下寄りに偏っている。このヘッド４は、露出部３２が下に位置する姿勢で沈降する。重錘１６の密度が大きいので、沈降速度は速い。
【００３４】
疑似餌２が所定の深さに到達した後、釣り糸２８が巻かれ、疑似餌２が上昇する。このとき、ネクタイ１０及びスカート１２が揺動する。この揺動により、鯛は疑似餌２を餌と勘違いし、この疑似餌２に食いつく。フック３６が鯛に突き刺さり、鯛が釣り上げられる。
【００３５】
重錘１６の密度が大きいので、その体積が小さくされても、ヘッド４は十分な質量を有する。体積の小さなヘッド４には、鯛が食いつきやすい。このヘッド４は、鯛が食い渋るコンディションにおいて、釣果に寄与しうる。
【００３６】
釣り糸２８が水平方向や斜め上方向に引かれた場合でも、ヘッド４の重心位置が適正であるため、この疑似餌２は浮き上がりにくい。従って、所定のレンジをキープしたままで、釣りが継続されうる。
【００３７】
図７に示されるように、海底に到達した疑似餌２が岩４４と衝突することがある。主部１４の強度は低いので、衝突時の衝撃で、主部１４が塑性変形を起こすことがある。前述の通りワイヤー１８が重錘１６及び主部１４を貫通しているので、主部１４が変形しても、重錘１６の位置は大幅には変動しない。換言すれば、ヘッド４の重心位置は、大幅には変動しない。
【００３８】
ヘッド４の重心が偏っているので、疑似餌２が着底するとき、露出部３２が岩４４と衝突する頻度が高い。露出部３２は塗装層を有していないので、衝突によっても塗装層の剥離は生じない。露出部３２の強度は高いので、衝突によっても露出部３２の損傷は生じにくい。主部１４が岩４４と衝突することもあり得るが、主部１４は軟質なので、衝突による塗装層の剥離は生じにくい。この疑似餌２では、繰り返し使用されたときの色目の変化が起こりにくい。
【００３９】
ヘッド４の重心が偏っているので、着底後の疑似餌２は、重錘１６が下方にあり、ネクタイ１０及びスカート１２が上方にある姿勢を維持する。この姿勢にある疑似餌２では、ネクタイ１０及びスカート１２が、疑似餌２の存在を鯛にアピールする。
【００４０】
図４に示された断面は、ヘッド４の重心を通過しかつ鉛直方向及び前後方向に延びる平面によってヘッド４が切られたときの断面である。図４において、符号Ｐ１で示されているのはこの断面におけるヘッド４の面積重心であり、符号Ｐ２で示されているのはこの断面における重錘１６の面積重心である。面積重心Ｐ２は、面積重心Ｐ１よりも前方かつ下方に位置している。これにより、ヘッド４の適正な重心が達成されている。
【００４１】
図４において符号Ｌ１で示されているのは、面積重心Ｐ１と面積重心Ｐ２との鉛直方向距離である。ヘッド４の適正な重心の観点から、距離Ｌ１は１．０ｍｍ以上が好ましく、２．０ｍｍ以上が特に好ましい。距離Ｌ１は、２０ｍｍ以下が好ましい。
【００４２】
図４において符号Ｌ２で示されているのは、面積重心Ｐ１と面積重心Ｐ２との前後方向距離である。ヘッド４の適正な重心の観点から、距離Ｌ２は１．０ｍｍ以上が好ましく、２．０ｍｍ以上が特に好ましい。距離Ｌ１は、２０ｍｍ以下が好ましい。
【００４３】
ヘッド４の適正な重心位置の観点から、主部１４の密度Ｄ１に対する重錘１６の密度Ｄ２の比（Ｄ２／Ｄ１）は１．４以上が好ましく、１．５以上がより好ましく、１．６以上が特に好ましい。比（Ｄ２／Ｄ１）は５．０以下が好ましい。
【００４４】
ヘッド４が大きな密度を有しうるとの観点から、主部１４の密度Ｄ１は１０．０ｇ／ｃｍ３以上が好ましく、１１．０ｇ／ｃｍ３以上が特に好ましい。
【００４５】
ヘッド４が大きな密度を有しうるとの観点から、重錘の密度Ｄ２は１８．０ｇ／ｃｍ３以上が好ましく、１９．０ｇ／ｃｍ３以上が特に好ましい。
【００４６】
着底後の疑似餌２の、姿勢の調整等の観点から、面積重心Ｐ２（図４参照）が面積重心Ｐ１の真下に位置するように、重錘１６が配置されてもよい。この場合の距離Ｌ２は、ゼロである。
【００４７】
着底後の疑似餌２の、姿勢の調整等の観点から、面積重心Ｐ２（図４参照）が面積重心Ｐ１よりも後方に位置するように、重錘１６が配置されてもよい。この場合の距離Ｌ２は、マイナスの値となる。
【産業上の利用可能性】
【００４８】
本発明に係る疑似餌は、鯛のみならず、太刀魚、ヒラメ、アイナメ、マゴチ等の種々の魚をターゲットにした釣りに適している。本発明に係るヘッドは、他の揺動体や生き餌の沈降にも用いられうる。
【符号の説明】
【００４９】
２・・・疑似餌
４・・・ヘッド
６・・・プラグ
１０・・・ネクタイ
１２・・・スカート
１４・・・主部
１６・・・重錘
１８・・・ワイヤー
２０・・・孔
２２・・・パイプ
２６・・・ソケット
３０・・・埋設部
３２・・・露出部
３６・・・フック
【図１】
2017123805.tif 000003
【図２】
2017123805.tif 000004
【図３】
2017123805.tif 000005
【図４】
2017123805.tif 000006
【図５】
2017123805.tif 000007
【図６】
2017123805.tif 000008
【図７】
2017123805.tif 000009